(57)【要約】【課題】ＴＶ等のリモートコントローラに懐中電灯の機能を持たせることによって、非常時に懐中電灯の代わりとして使用できる、白色ＬＥＤを搭載したリモートコントローラを提供する。【解決手段】内蔵電源８と、内蔵電源８に接続された白色ＬＥＤ１１と、内蔵電源８に接続された赤外ＬＥＤ１３と、白色ＬＥＤ１１を駆動する白色ＬＥＤ駆動スイッチ１２と、赤外ＬＥＤを駆動する赤外ＬＥＤ駆動スイッチ１８と、白色ＬＥＤ１１から発光された白色ＬＥＤ光ｈνLEDを出射する白色ＬＥＤ発光窓１６と、赤外ＬＥＤ１３から発光された赤外ＬＥＤ光ｈνIrを出射する赤外ＬＥＤ発光窓１４とを備えるリモートコントローラ１０。【選択図】図１
2013030995.tif 000002
【特許請求の範囲】
【請求項１】
内蔵電源と、
前記内蔵電源に接続された白色ＬＥＤと、
前記内蔵電源に接続された第１赤外ＬＥＤと、
前記白色ＬＥＤを駆動する白色ＬＥＤ駆動スイッチと、
前記第１赤外ＬＥＤを駆動する第１赤外ＬＥＤ駆動スイッチと、
前記白色ＬＥＤから発光された白色ＬＥＤ光を出射する白色ＬＥＤ発光窓と、
前記第１赤外ＬＥＤから発光された第１赤外ＬＥＤ光を出射する赤外ＬＥＤ発光窓と
を備えることを特徴とするリモートコントローラ。
【請求項２】
前記内蔵電源に接続された第２赤外ＬＥＤと、
前記第２赤外ＬＥＤを駆動する第２赤外ＬＥＤ駆動スイッチと
をさらに備えることを特徴とする請求項１に記載のリモートコントローラ。
【請求項３】
前記第１赤外ＬＥＤ光は、テレビジョン受像機を駆動することを特徴とする請求項１に記載のリモートコントローラ。
【請求項４】
前記第２赤外ＬＥＤ光は、照明機器を直接駆動することを特徴とする請求項２に記載のリモートコントローラ。
【請求項５】
前記第２赤外ＬＥＤ光は、照明機器駆動壁スイッチを駆動することを特徴とする請求項２に記載のリモートコントローラ。
【請求項６】
前記白色ＬＥＤ駆動スイッチは、前記内蔵電源の電源スイッチを兼用していることを特徴とする請求項１に記載のリモートコントローラ。
【請求項７】
前記白色ＬＥＤは、窒化物系半導体により形成されたことを特徴とする請求項１〜６のいずれか１項に記載のリモートコントローラ。
【発明の詳細な説明】
【技術分野】
【０００１】
本発明は、リモートコントローラに関し、特に白色ＬＥＤを搭載したリモートコントローラに関する。
【背景技術】
【０００２】
停電や緊急時、その他必要なときなど、懐中電灯の代わりになるライト付家電ワイヤレスリモコンが提案されている（例えば、特許文献１参照。）。
【０００３】
また、リモコン送信機に懐中電灯を取り付けた、懐中電灯機能付リモコン送信機も提案されている（例えば、特許文献２参照。）。
【０００４】
また、近年、窒化物半導体の開発により、白色発光ダイオード（ＬＥＤ：Light Emitting Diode）の高輝度化が進んでいる（例えば、特許文献３参照。）。
【先行技術文献】
【特許文献】
【０００５】
【特許文献１】実開平０５−１５５９７号公報
【特許文献２】特開平０２−１４３８９２号公報
【特許文献３】特開２０１１−１３９１００号公報
【発明の概要】
【発明が解決しようとする課題】
【０００６】
本発明の目的は、ＴＶ等のリモートコントローラに懐中電灯の機能を持たせることによって、非常時に懐中電灯の代わりとして使用できる、白色ＬＥＤを搭載したリモートコントローラを提供することにある。
【課題を解決するための手段】
【０００７】
本発明の一態様によれば、内蔵電源と、前記内蔵電源に接続された白色ＬＥＤと、前記内蔵電源に接続された第１赤外ＬＥＤと、前記白色ＬＥＤを駆動する白色ＬＥＤ駆動スイッチと、前記第１赤外ＬＥＤを駆動する第１赤外ＬＥＤ駆動スイッチと、前記白色ＬＥＤから発光された白色ＬＥＤ光を出射する白色ＬＥＤ発光窓と、前記第１赤外ＬＥＤから発光された第１赤外ＬＥＤ光を出射する赤外ＬＥＤ発光窓とを備えるリモートコントローラが提供される。
【発明の効果】
【０００８】
本発明によれば、ＴＶ等のリモートコントローラに懐中電灯の機能を持たせることによって、非常時に懐中電灯の代わりとして使用できる、白色ＬＥＤを搭載したリモートコントローラを提供することができる。
【図面の簡単な説明】
【０００９】
【図１】実施の形態に係るリモートコントローラの模式的鳥瞰構造図。
【図２】実施の形態に係るリモートコントローラの使用形態の模式的鳥瞰構造図。
【図３】実施の形態に係るリモートコントローラの別の使用形態の模式的鳥瞰構造図。
【図４】実施の形態に係るリモートコントローラの内蔵回路の模式的構成図。
【図５】実施の形態に係るリモートコントローラに搭載される白色ＬＥＤの模式的断面構造例。
【発明を実施するための形態】
【００１０】
次に、図面を参照して、本発明の実施の形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることはもちろんである。
【００１１】
又、以下に示す実施の形態は、この発明の技術的思想を具体化するための装置や方法を例示するものであって、この発明の実施の形態は、構成部品の材質、形状、構造、配置等を下記のものに特定するものでない。この発明の実施の形態は、特許請求の範囲において、種々の変更を加えることができる。
【００１２】
実施の形態に係るリモートコントローラ１０の模式的鳥瞰構造は、図１に示すように表される。実施の形態に係るリモートコントローラ１０の使用形態の模式的鳥瞰構造は、図２に示すように表される。また、別の使用形態の模式的鳥瞰構造は、図３に示すように表される。また、実施の形態に係るリモートコントローラ１０の内蔵回路の模式的構成は、図４に示すように表される。
【００１３】
実施の形態に係るリモートコントローラ１０は、図１および図４に示すように、内蔵電源（Ｖ）８と、内蔵電源８に接続された白色ＬＥＤ１１と、内蔵電源８に接続された第１赤外ＬＥＤ１３と、白色ＬＥＤ１１を駆動する白色ＬＥＤ駆動スイッチＳＷL(図１の白色ＬＥＤ駆動スイッチ１２)と、第１赤外ＬＥＤ１３を駆動する第１赤外ＬＥＤ駆動スイッチＳＷT(図１の赤外ＬＥＤ駆動スイッチ１８)と、白色ＬＥＤ１１から発光された白色ＬＥＤ光ｈνLEDを出射する白色ＬＥＤ発光窓１６と、第１赤外ＬＥＤ１３から発光された第１赤外ＬＥＤ光ｈνIrを出射する赤外ＬＥＤ発光窓１４とを備える。
【００１４】
また、実施の形態に係るリモートコントローラ１０は、図４に示すように、内蔵電源８に接続された第２赤外ＬＥＤ１５と、第２赤外ＬＥＤ１５を駆動する第２赤外ＬＥＤ駆動スイッチＳＷCとをさらに備えていても良い。ここで、第２赤外ＬＥＤ駆動スイッチＳＷCは、図１の赤外ＬＥＤ駆動スイッチ２０によってＯＮ／ＯＦＦされる。
【００１５】
白色ＬＥＤ光ｈνLEDは、図１および図４に示すように、白色ＬＥＤ１１を駆動する白色ＬＥＤ駆動スイッチＳＷL(図１の白色ＬＥＤ駆動スイッチ１２)をＯＮにすることによって、白色ＬＥＤ１１が駆動されて、白色ＬＥＤ発光窓１６から出射される。
【００１６】
第１赤外ＬＥＤ光ｈνIrは、家電機器として、例えば、図２〜図３に示すように、テレビジョン受像機１００を駆動しても良い。ここで、第１赤外ＬＥＤ光ｈνIrは、図１および図４に示すように、第１赤外ＬＥＤ１３を駆動する第１赤外ＬＥＤ駆動スイッチＳＷT(図１の第１赤外ＬＥＤ駆動スイッチ１８)をＯＮにすることによって、第１赤外ＬＥＤ１３が駆動されて、赤外ＬＥＤ発光窓１４から出射される。
【００１７】
また、第２赤外ＬＥＤ光ｈνCLは、例えば、図３に示すように、照明機器２００を直接駆動しても良い。ここで、第２赤外ＬＥＤ光ｈνCLは、図１および図４に示すように、第２赤外ＬＥＤ１５を駆動する第２赤外ＬＥＤ駆動スイッチＳＷC(図３の第２赤外ＬＥＤ駆動スイッチ２０)をＯＮにすることによって、第２赤外ＬＥＤ１５が駆動されて、赤外ＬＥＤ発光窓１４から出射される。
【００１８】
また、別の第２赤外ＬＥＤ光ｈνCWは、例えば、図３に示すように、照明機器駆動壁スイッチ２５０を駆動して、照明機器駆動壁スイッチ２５０をＯＮにすることによって、照明機器２００を間接駆動しても良い。
【００１９】
また、実施の形態に係るリモートコントローラ１０において、白色ＬＥＤ駆動スイッチ１２は、内蔵電源８の電源スイッチを兼用していても良い。例えば、白色ＬＥＤ駆動スイッチ１２を長押しすることによって、内蔵電源８の電源スイッチをＯＮにすることができるように設定されていても良い。
【００２０】
実施の形態に係るリモートコントローラ１０は、ＴＶ等のリモートコントローラに懐中電灯の機能を持たせることによって、利便性を追求することができる。例えば、寝ている間にもＴＶのリモートコントローラは手元にある場合が多い。したがって、実施の形態に係るリモートコントローラ１０は、非常時に懐中電灯の代わりとして使用することもできる。
【００２１】
また、実施の形態に係るリモートコントローラ１０は、就寝中に目覚め、部屋が暗い中歩く時に、懐中電灯として使用することができる。
【００２２】
また、実施の形態に係るリモートコントローラ１０において、携帯電話のように、ボタン部分が光り、各操作ボタンの機能、ＴＶチャンネルなどがわかるようになされていても良い。
【００２３】
また、実施の形態に係るリモートコントローラ１０には、日付機能も含め、電波時計の機能を搭載し、時間情報を容易にする機能を持たせても良い。
【００２４】
また、実施の形態に係るリモートコントローラ１０には、ラジオ機能も搭載し、災害時の情報把握を容易にする機能を持たせても良い。
【００２５】
また、実施の形態に係るリモートコントローラ１０にはグローバル・ポジショニング・システム（全地球測位システム：ＧＰＳ：Global Positioning System）機能を搭載し、災害時の位置情報の把握機能を持たせても良い。
【００２６】
また、実施の形態に係るリモートコントローラ１０において、ＴＶチャンネルなどの各操作ボタンを用いて、照明機器の調光操作機能を兼用させても良い。例えば、ＴＶチャンネルなどの各操作ボタンを用いて、照明ライトの色を切り替える機能を兼用させ、或いは、ボリューム機能によって、調光機能を兼用させて、明るさを調整しても良い。
【００２７】
また、実施の形態に係るリモートコントローラ１０には、点灯専用ボタンを設けてもよく、或いは、特に点灯専用ボタンを設けず、電源を長押しすることで、点灯機能を持たせても良い。
【００２８】
実施の形態に係るリモートコントローラ１０に搭載される白色ＬＥＤは、図５に示すように、チップ基板１と、チップ基板１上に配置された端子電極２ａ・２ｋと、チップ基板１の上面外縁を囲むように配置された反射ケース５と、端子電極２ａ上に配置された半導体発光素子３と、半導体発光素子３の上面電極（図示省略）と端子電極２ｋを接続するボンディングワイヤ４と、反射ケース５で囲まれた内部に配置され、第１発光蛍光体６１と第２発光蛍光体６２とを透光性樹脂中に混合分散した蛍光体層６とを備える。ここで、蛍光体層６は、反射ケース５で囲まれた内部に配置され、端子電極２ａ・２ｋ・半導体発光素子３・ボンディングワイヤ４などを封止している。
【００２９】
半導体発光素子３は、窒化物系半導体により形成された青色ＬＥＤで形成されていても良い。この場合、第１発光蛍光体６１および第２発光蛍光体６２は、共に黄色蛍光体で形成されていても良い。或いは、演色性を確保するために、第１発光蛍光体６１は赤色蛍光体、第２発光蛍光体６２は、緑色蛍光体で形成されていても良い。
【００３０】
ここで、青色ＬＥＤを励起光源とする黄色蛍光体としては、例えば、Ｃｅ添加ＹＡＧ（Ｙ3Ａｌ5Ｏ12:Ｃｅ）蛍光体、Ｅｕ添加α−サイアロン（ＣａＳｉＡｌＯＮ：Ｅｕ）、シリケート蛍光体（（Ｓｒ,Ｂａ,Ｃａ,Ｍｇ）2ＳｉＯ4：Ｅｕ）などを用いることができる。すなわち、青色発光ＬＥＤの青色光の一部を黄色蛍光体により黄色の発光に変換し、青＋黄の発光により白色発光を得ることができる。
【００３１】
また、青色ＬＥＤを励起光源とする緑色蛍光体としては、例えば、Ｅｕ添加β−サイアロン（Ｓｉ6-zＡｌzＯzＮ8-z：Ｅｕ）蛍光体、Ｃｅ添加ＣＳＳＯ（Ｃａ3Ｓｃ2Ｓｉ3Ｏ12：Ｃｅ）蛍光体などを用いることができる。
【００３２】
また、青色ＬＥＤを励起光源とする赤色蛍光体としては、例えば、Ｅｕ添加ＣａＡｌＳｉＮ3（ＣａＡｌＳｉＮ3：Ｅｕ）蛍光体などを用いることができる。
【００３３】
また、半導体発光素子３は、窒化物系半導体により形成された紫外光ＬＥＤで形成されていても良い。この場合、第１発光蛍光体６１および第２発光蛍光体６２は、共に黄色蛍光体で形成されていても良い。或いは、演色性を確保するために、第１発光蛍光体６１は青色蛍光体、第２発光蛍光体６２は、黄色蛍光体で形成されていても良い。
【００３４】
紫外光ＬＥＤを励起光源とする青色蛍光体としては、紫外光を受けて青色に発光するものであれば良く、例えば、ハロゲン酸塩蛍光体、アルミン酸塩蛍光体、ケイ酸塩蛍光体などが挙げられる。また、付活剤としては、例えば、セリウム、ユウロピウム、マンガン、ガドリニウム、サマリウム、テルビウム、スズ、クロム、アンチモン等の元素を挙げることができる。この中でもユウロピウムが好ましい。付活剤の添加量は、蛍光体に対して０．１〜１０ｍｏｌ％の範囲が好ましい。
【００３５】
紫外光ＬＥＤを励起光源とする黄色蛍光体としては、青色発光を吸収して黄色に発光する蛍光体および紫外線を吸収して黄色に発光する蛍光体のいずれであっても良い。ここで、演色性を確保するために、第１発光蛍光体６１を青色蛍光体、第２発光蛍光体６２を黄色蛍光体で形成する場合には、発光効率を一層高めるためには、紫外線を吸収して黄色に発光する蛍光体が望ましい。青色発光を吸収して黄色に発光する蛍光体としては、例えば、有機蛍光体では、アリルスルホアミド・メラミンホルムアルデヒド共縮合染色物やペリレン系蛍光体等を挙げることができ、無機蛍光体では、アルミン酸塩、リン酸塩、ケイ酸塩等を挙げることができる。このなかでも長時間使用可能な点から、ペリレン系蛍光体、ＹＡＧ系蛍光体が特に好ましい。また、付活剤としては、例えば、セリウム、ユウロピウム、マンガン、ガドリニウム、サマリウム、テルビウム、スズ、クロム、アンチモン等の元素を挙げることができる。この中でもセリウムが好ましい。付活剤の添加量は、蛍光体に対して０．１〜１０ｍｏｌ％の範囲が好ましい。蛍光体と付活剤との組み合わせとしては、ＹＡＧとセリウムとの組み合わせが好ましい。
【００３６】
また、紫外線を吸収して黄色に発光する蛍光体としては、例えば、（Ｌａ，Ｃｅ）（Ｐ，Ｓｉ）Ｏ4や、（Ｚｎ，Ｍｇ）Ｏなどの蛍光体を挙げることができる。また、付活剤としては、例えば、テルビウム、亜鉛などを挙げることができる。
【００３７】
蛍光体層６中の第１発光蛍光体６１・第２発光蛍光体６２の含有量は、半導体発光素子３や蛍光体の種類などから適宜決定すればよいが、一般にその含有量は、各蛍光体とも蛍光体層６に対して１〜２５ｗｔ％の範囲が望ましい。
【００３８】
尚、実施の形態に係るリモートコントローラ１０に搭載される白色ＬＥＤには、ＬＥＤ搭載用汎用パッケージを使用して実装されていても良い。
【００３９】
また、ＬＥＤの構成として、例えば、１パッケージ中に「青色ＬＥＤ＋緑色ＬＥＤ＋赤色ＬＥＤ」を収容して白色ＬＥＤを構成することもできる。このようなマルチチップの例として、「赤外ＬＥＤ＋青色ＬＥＤ」のマルチチップで、青色光励起によって黄色光を発光する蛍光体を組み合わせることもできる。黄色蛍光体は、赤外光による影響を受けないため、小型１パッケージで構成可能であり、占有スペースを小さくすることができ、小さなスペースに実装可能である。
【００４０】
本発明によれば、ＴＶ等のリモートコントローラに懐中電灯の機能を持たせることによって、非常時に懐中電灯の代わりとして使用できる、白色ＬＥＤを搭載したリモートコントローラを提供することができる。
【００４１】
（その他の実施の形態）
上記のように、実施の形態によって記載したが、この開示の一部をなす論述および図面はこの発明を限定するものであると理解すべきではない。この開示から当業者には様々な代替実施の形態、実施例および運用技術が明らかとなろう。
【００４２】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【産業上の利用可能性】
【００４３】
本発明のリモートコントローラは、ＡＶ機器、エアコン、パソコン、照明器具、カメラ、ゲーム機、ラジコン、自動車関連機器など遠隔操作、遠隔制御を必要とされる機器全般に適用可能である。
【符号の説明】
【００４４】
１…チップ基板
２ａ、２ｋ…端子電極
３…半導体発光素子
４…ボンディングワイヤ
５…反射ケース
６…蛍光体層
８…内蔵電源（Ｖ）
１０…リモートコントローラ
１１…白色ＬＥＤ
１２、ＳＷL…白色ＬＥＤ駆動スイッチ
１３、１５…赤外ＬＥＤ
１４…赤外ＬＥＤ発光窓
１６…白色ＬＥＤ発光窓
１８、２０、ＳＷT、ＳＷC…赤外ＬＥＤ駆動スイッチ
６１…第１発光蛍光体
６２…第２発光蛍光体
ｈνIr、ｈνCW、ｈνCL…赤外ＬＥＤ光
ｈνLED…白色ＬＥＤ光
１００…テレビジョン受像機
２００…照明機器
２５０…照明機器駆動壁スイッチ
【図１】
2013030995.tif 000003
【図２】
2013030995.tif 000004
【図３】
2013030995.tif 000005
【図４】
2013030995.tif 000006
【図５】
2013030995.tif 000007